Podtech/llm-jp-corpus-v4-ja_patent huggingface dataset:
【手続補正書】
【提出日】平成16年10月27日(2004.10.27)
【手続補正１】
【補正対象書類名】明細書
【補正対象項目名】００３６
【補正方法】変更
【補正の内容】
【００３６】
次に、制御部２８における各モードでの処理動作を説明する。まず、図６Ａに示すように、ウィンドウコンパレータモードにおいては、制御部２８は、時間の経過に伴い、電空レギュレータ２２の出力（２次側圧力）が第１のスイッチ出力Ｐ１で示す圧力よりも小さい期間は、スイッチ出力ＯＦＦを示す信号を出力し、２次側圧力が第１のスイッチ出力Ｐ１で示す圧力以上になった時点でスイッチ出力ＯＮを示す信号を出力し、２次側圧力が第２のスイッチ出力Ｐ２で示す圧力以上になった時点でスイッチ出力ＯＦＦを示す信号を出力する。
【手続補正２】
【補正対象書類名】明細書
【補正対象項目名】００５１
【補正方法】変更
【補正の内容】
【００５１】
圧力範囲を０〜１．０ＭＰａを１２ビットの分解能で表すと、１ビット当たり０．２ｋＰａとなる。これにより、
０．１ＭＰａ＝０１９９Ｈ
０．５ＭＰａ＝０８００Ｈ
０．６ＭＰａ＝０９９９Ｈ
０．８ＭＰａ＝０ＣＣＣＨ
となる。
【手続補正３】
【補正対象書類名】明細書
【補正対象項目名】００５８
【補正方法】変更
【補正の内容】
【００５８】
一方、制御部２８は、データ受取り手段６０において前記通信部２６からのライト信号ＷＲのフラグを受け、８本のアドレス線Ａ０〜Ａ７の値を読み取る。このアドレスは後段のデータ格納手段６２に送出される。この場合、アドレスが０２Ｈであることから、データ格納手段６２は、通信部２６から最小圧力の下位８ビットが送信されてくることを認識する。この段階でデータ受取り手段６０は、データ線Ｄ０〜Ｄ７を入力に切り替えてリード信号ＲＤのフラグを立てる。
【手続補正４】
【補正対象書類名】明細書
【補正対象項目名】００６２
【補正方法】変更
【補正の内容】
【００６２】
制御部２８は、データ受取り手段６０において前記通信部２６からのライト信号ＷＲのフラグを受け、８本のアドレス線Ａ０〜Ａ７の値を読み取る。このアドレスは後段のデータ格納手段６２に送出される。この場合、アドレスが０３Ｈであることから、データ格納手段６２は、通信部２６から最小圧力の上位８ビットが送信されてくることを認識する。この段階でデータ受取り手段６０は、データ線Ｄ０〜Ｄ７を入力に切り替えてリード信号ＲＤのフラグを立てる。
【手続補正５】
【補正対象書類名】明細書
【補正対象項目名】００６４
【補正方法】変更
【補正の内容】
【００６４】
制御部２８のデータ受取り手段６０は、データ線Ｄ０〜Ｄ７を通じて前記実データの上位８ビットを受け取り、データ格納手段６２に送出する。データ格納手段６２は、内部メモリ３０の絶対アドレス（ＡＤＤ＋３）の記憶領域に該実データの上位８ビット（０１Ｈ）を書き込む。
【手続補正６】
【補正対象書類名】明細書
【補正対象項目名】００８２
【補正方法】変更
【補正の内容】
【００８２】
一方、制御部２８は、データ受取り手段６０において前記通信部２６からのライト信号ＷＲのフラグを受け、８本のアドレス線Ａ０〜Ａ７の値を読み取る。このアドレスは後段のデータ格納手段６２に送出される。この場合、アドレスが００Ｈであることから、データ格納手段６２は、通信部２６から目標圧力の下位８ビットが送信されてくることを認識する。この段階でデータ受取り手段６０は、データ線Ｄ０〜Ｄ７を入力に切り替えてリード信号ＲＤのフラグを立てる。
【手続補正７】
【補正対象書類名】明細書
【補正対象項目名】００８６
【補正方法】変更
【補正の内容】
【００８６】
制御部２８は、データ受取り手段６０において前記通信部２６からのライト信号ＷＲのフラグを受け、８本のアドレス線Ａ０〜Ａ７の値を読み取る。このアドレスは後段のデータ格納手段６２に送出される。この場合、アドレスが０１Ｈであることから、データ格納手段６２は、通信部２６から目標圧力の上位８ビットが送信されてくることを認識する。この段階でデータ受取り手段６０は、データ線Ｄ０〜Ｄ７を入力に切り替えてリード信号ＲＤのフラグを立てる。
【手続補正８】
【補正対象書類名】明細書
【補正対象項目名】００８８
【補正方法】変更
【補正の内容】
【００８８】
制御部２８のデータ受取り手段６０は、データ線Ｄ０〜Ｄ７を通じて前記実データの上位８ビットを受け取り、データ格納手段６２に送出する。データ格納手段６２は、内部メモリ３０の絶対アドレス（ＡＤＤ＋１）の記憶領域に該実データの上位８ビット（０８Ｈ）を書き込む。
【手続補正９】
【補正対象書類名】図面
【補正対象項目名】図２
【補正方法】変更
【補正の内容】
【図２】
1999184535.tif 000001
【手続補正１０】
【補正対象書類名】図面
【補正対象項目名】図８
【補正方法】変更
【補正の内容】
【図８】
1999184535.tif 000002
【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
サーバ側で、記憶手段よりストリームデータを所定の送出レートでネットワークを介して、同一マルチキャストグループに属する単一もしくは複数のクライアントに転送するとともに、クライアント側で、上記サーバより送出されるストリームデータをパケット受信部で受信して受信バッファに一旦蓄積するマルチキャストストリームデータ転送方法において、
上記同一マルチキャストグループに属する特定のクライアントのパケット受信部で受信されたデータの欠落に対応して該特定のクライアントより再送要求を上記サーバに出すとともに、該再送要求に基づいて上記サーバの記憶手段より該欠落データに対応するデータを送出することを特徴とするマルチキャストストリームデータ転送方法。
【請求項２】
上記特定のクライアントより上記再送要求を上記サーバおよび上記同一マルチキャストグループに属する全てのクライアントに発行するとともに、他の特定のクライアントより上記再送要求と同一内容の再送要求の発行をあらかじめ設定した所定時間だけ禁止する請求項１に記載のマルチキャストストリームデータ転送方法。
【請求項３】
上記サーバが複数のクライアントより同一内容の上記再送要求をあらかじめ設定した所定時間内に受信した場合、これら再送要求のうち一つを有効として、該再送要求に基づいて上記サーバの記憶手段より該欠落データに対応するデータを送出する請求項２２に記載のマルチキャストストリームデータ転送方法。
【請求項４】
上記同一マルチキャストグループに属する特定のクライアントの受信バッファの空き状態に対応して該特定のクライアントよりレート変更要求を上記サーバに出すとともに、該レート変更要求に基づいて上記サーバの送出レートを変更することを特徴とする請求項１に記載のマルチキャストストリームデータ転送方法。
【請求項５】
上記特定のクライアントより上記レート変更要求を上記サーバおよび上記同一マルチキャストグループに属する全てのクライアントに発行するとともに、他の特定のクライアントより上記レート変更要求と同一内容のレート変更要求の発行をあらかじめ設定した所定時間だけ禁止する請求項４に記載のマルチキャストストリームデータ転送方法。
【請求項６】
上記サーバが複数のクライアントより同一内容の上記レート変更要求をあらかじめ設定した所定時間内に受信した場合、これらレート変更要求のうち一つを有効として、該レート変更要求に基づいてサーバの送出レートを変更する請求項４に記載のマルチキャストストリームデータ転送方法。
【請求項７】
ストリームデータ送信前に上記サーバが、上記レート変更要求の送出可能な同一マルチキャストグループに属するクライアント全てより、該クライアントがレート変更要求を出す条件を得て、同一マルチキャストグループで共存困難な条件をもつ上記クライアントに対しては、別のマルチキャストグループとしてデータを転送する請求項６に記載のマルチキャストストリームデータ転送方法。
【請求項８】
ストリームデータ送信前に上記特定のクライアントが、上記レート変更要求の送出可能な同一マルチキャストグループに属する他のクライアント全てより、該他のクライアントがレート変更要求を出す条件を得て、当該他のクライアントが同一マルチキャストグループで共存困難な条件をもつ場合、別のマルチキャストグループとしてデータを受信する請求項６に記載のマルチキャストストリームデータ転送方法。
【請求項９】
ストリームデータ送信中に新規クライアントへの送信要求があった時、該新規クライアントのレート変更要求を出す条件が既に送信中のマルチキャストグループで共存困難な条件である場合、上記新規クライアントに対して別のマルチキャストグループでデータを転送する請求項６に記載のマルチキャストストリームデータ転送方法。
【請求項１０】
サーバ側で、記憶手段よりストリームデータを所定の送出レートでネットワークを介して、同一マルチキャストグループに属する単一もしくは複数のクライアントに転送するシステムにおいて、
上記サーバより送出されるストリームデータを受信して受信バッファに一旦蓄積するパケット受信部と、
上記パケット受信部で受信されたデータの欠落を監視するとともに、該欠落データに対応するデータを上記サーバに再送要求する再送要求部を備えたことを特徴とするクライアント装置。
【請求項１１】
上記受信バッファの空き容量を監視するとともに、該空き容量に対応したレート変更要求を上記サーバに出すレート変更要求部を備えたことを特徴とする請求項１０に記載のクライエント装置。
【請求項１２】
サーバ側で、記憶手段よりストリームデータを所定の送出レートでネットワークを介して、同一マルチキャストグループに属する単一もしくは複数のクライアントに転送するとともに、クライアント側で、上記サーバより送出されるストリームデータをパケット受信部で受信して受信バッファに一旦蓄積するシステムにおいて、
上記クライアントのパケット受信部が受信したデータのデータ欠落の状態に基づいてクライアント側が出した再送要求に基づいて、欠落データに対応するデータの再送処理を行う再送制御部を備えたことを特徴とするサーバ装置。
【請求項１３】
上記クライアントの受信バッファの空き容量の状態に対応してクライアント側より出されるレート変更要求に基づいて、送出レートを更新するレート変更要求処理部を備えたことを特徴とする請求項１２に記載のサーバ装置。
【請求項１４】
サーバ側で、記憶手段よりストリームデータを所定の送出レートでネットワークを介して、同一マルチキャストグループに属する単一もしくは複数のクライアントに転送するとともに、クライアント側で、上記サーバより送出されるストリームデータをパケット受信部で受信して受信バッファに一旦蓄積するマルチキャストストリームデータ転送システムにおいて、
上記サーバに：
上記クライアントのパケット受信部が受信したデータのデータ欠落の状態に基づいてクライアント側が出した再送要求に基づいて、欠落データに対応するデータの再送処理を行う再送制御部と、
上記同一マルチキャストグループに属する特定のクライアントに：
上記パケット受信部で受信されたデータの欠落を監視するとともに、該欠落データに対応するデータを上記サーバに再送要求する再送要求部を備えたことを特徴とするマルチキャストストリームデータ転送システム。
【請求項１５】
上記請求項１に記載の各手順をプログラムとして記憶させた記録媒体。
【手続補正書】
【提出日】平成16年7月15日(2004.7.15)
【手続補正１】
【補正対象書類名】明細書
【補正対象項目名】０００２
【補正方法】変更
【補正の内容】
【０００２】
【従来の技術】
位相シフトフォトマスクは、パターンの遮光部分でもわずかながら光を透過することを特徴としており、この透過した光と主パターンの光とは位相が逆転しているため、パターンの境界部分では逆転した光と主パターンの光との干渉により光強度低下が起こり、この現象が光強度分布の裾の広がりを防ぐため解像力向上効果を得ることができ、従来から種々の分野で利用されている。
【手続補正２】
【補正対象書類名】明細書
【補正対象項目名】００１９
【補正方法】変更
【補正の内容】
【００１９】
次いで、例えば大気雰囲気下で所定の熱処理を行った後、各組成のモリブデンシリサイド酸化窒化膜を、パターニングされたレジスト膜をマスクとして、RFイオンエッチング装置を使用し、（１）所定量の反応性ガスを導入して、所定のRF電力で、基板に平行な方向に回転磁界を印加する条件により、また、（２）所定量の反応性ガスを導入して、所定のRF電力で、回転磁界を印加しない条件により、所定の時間ドライエッチング処理を行い、所望の位相シフトフォトマスクを得る。かくして得られた位相シフトフォトマスクでは、その断面形状が改善され、パターニングにおける制御性もよく、回路パターンの線幅コントロールも容易である。
【手続補正３】
【補正対象書類名】明細書
【補正対象項目名】００２０
【補正方法】変更
【補正の内容】
【００２０】
ドライエッチング時に用いる反応性ガスとしては、例えば、CF4ガス、O2ガス及びN2ガスが所定の流量割合で混合されたガスのようなエッチングガスを使用できる。
【手続補正４】
【補正対象書類名】明細書
【補正対象項目名】００２４
【補正方法】変更
【補正の内容】
【００２４】
次いで、大気雰囲気下で350℃、3時間の熱処理を行った後、各組成のモリブデンシリサイド酸化窒化膜を、パターニングされたレジスト膜をマスクとして、平行平板型のRFイオンエッチング装置を使用してドライエッチング処理した。このドライエッチング処理は、（１）反応性ガス（CF4ガスとO2ガスとN2ガスとが流量比100SCCM:5SCCM:18SCCMの割合で混合されたガス）を50Pa（0.375Torr）まで導入して、RF電力100 W（電力密度0.11 W/cm2）で基板に平行な方向に80ガウスの回転磁界を印加する条件により、また、（２）反応性ガス（CF4ガスとO2ガスとN2ガスとが流量比100SCCM:5SCCM:18SCCMの割合で混合されたガス）を6.8Pa（0.051Torr）まで導入して、RF電力168W（電力密度0.18W/cm2）で、基板に回転磁界を印加しない条件により、膜質に応じて100〜540秒間行い、その際のサイドエッチング量を測定し、サイドエッチング速度を求めた。
【手続補正書】
【提出日】平成16年9月24日(2004.9.24)
【手続補正１】
【補正対象書類名】明細書
【補正対象項目名】０００８
【補正方法】変更
【補正の内容】
【０００８】
【発明の実施の形態】
本発明では、少なくとも結着樹脂および着色剤からなるトナー粒子、無機粒子、キャリア粒子から構成される電子写真用現像剤において、該構成粒子の帯電序列が、キャリア粒子、トナー粒子、無機粒子の順に高くなる。ここで、無機粒子の帯電序列がトナー粒子よりも低く、キャリア粒子よりも高い場合には無機粒子が感光体に堆積しフィルミングを生じる。また、無機粒子がキャリア粒子よりも帯電序列で低い場合にはトナー粒子に無機粒子が付着した状態の帯電性が不良となり、印字濃度の低下、白地汚れの発生などの問題が生じる。
【手続補正２】
【補正対象書類名】明細書
【補正対象項目名】００１０
【補正方法】変更
【補正の内容】
【００１０】
この粒子間の帯電序列を決定する詳細な方法としては、極性を測定できる方法であれば問題はないが、例えばトナー粒子５０ｇと無機粒子１ｇとを１００ｃｃのポリエチレン製の容器に入れた後、５分間５０ｒｐｍで回転した後、東芝製ブローオフ帯電量測定器により、ブロー圧０．２ｋｇ／ｃｍ２、サンプル量０．２ｇ５００メッシュの金網を通して無機粒子を剥離することによってトナー粒子の極性を測定できる。
【手続補正３】
【補正対象書類名】明細書
【補正対象項目名】００１３
【補正方法】変更
【補正の内容】
【００１３】
無機粒子の添加量はトナー粒子１００重量部に対し、０．１〜２重量部の範囲である。好ましくは、０．２〜１重量部である。０．１重量部未満であれば流動性向上効果が無く、２重量部を超えた場合には流動性が良すぎてトナー飛散などの問題が生じる。
【手続補正４】
【補正対象書類名】明細書
【補正対象項目名】００３２
【補正方法】変更
【補正の内容】
【００３２】
本発明の現像剤はトナー粒子と無機粒子と上述したキャリアを混合して製造される。トナー粒子の配合比は総量に対して通常１〜２０重量％程度であり、無機粒子は通常トナー粒子に対して０．０５重量％から５重量％であるが、これはキャリアの種類や用いられるトナーの帯電特性および現像方式の違いによるところが大きい。小粒径キャリアほどキャリアの比表面積が増加するため一般に、トナー配合比を大きくできる。現像剤中のトナー濃度が低すぎる場合は、画像濃度が薄くなり、あるいはキャリアが感光体上に付着する、いわゆるキャリアオーバー発生しやすい。一方、トナー粒子濃度が高すぎる場合は、画像背景部の白地汚れやトナー飛散によるプリンタ機内外の汚染が目立つようになるため、適正なトナー配合比は、実際にプリンタで印字評価を行って決定される。
【手続補正書】
【提出日】平成16年3月22日(2004.3.22)
【手続補正１】
【補正対象書類名】明細書
【補正対象項目名】特許請求の範囲
【補正方法】変更
【補正の内容】
【特許請求の範囲】
【請求項１】
像担持体の表面を露光して静電潜像を形成する露光手段と、
上記像担持体上に形成された静電潜像を現像剤により現像して現像剤像を形成する現像手段と、
上記像担持体上に所定の検出領域を有し、上記像担持体上において上記検出領域に形成された画像の画質変動を検出する検出手段と、
上記露光手段および現像手段により上記像担持体上に画像変動検出用の検査画像を形成するとともに上記検出手段により上記検査画像を検出し、検出手段の検出結果に応じて上記検査画像形成領域を変更し、上記検出手段の検出領域にほぼ一致する最小の検査画像形成領域を決定する決定手段と、
を備えたことを特徴とする画像形成装置。
【請求項２】
上記決定手段は、上記検出手段の検出結果に応じて、上記検査画像形成領域の寸法を段階的に低減し、上記検査結果が所定値からずれる直前の段階の寸法に決定することを特徴とする請求項１に記載の画像形成装置。
【請求項３】
上記検査画像形成領域は、上記検出領域の一方側に位置した第１端縁と、上記検出領域を挟んで上記第１側縁の反対側に位置した第２端縁と、を有し、
上記決定手段は、上記検出手段の検出結果に応じて、上記検査画像形成領域の第１端縁が上記検出領域に接近する方向に上記検査画像形成領域の寸法を段階的に低減し、上記検査結果が所定値からずれる直前の段階に上記第１端縁の位置を決定した後、上記検査画像形成領域の第２端縁が上記検出領域に接近する方向に上記検査画像形成領域の寸法を段階的に低減し、上記検査結果が所定値からずれる直前の段階に上記第２端縁の位置を決定することを特徴とする請求項１又は２に記載の画像形成装置。
【請求項４】
上記決定手段は、上記露光手段および現像手段により、上記像担持体の表面に所定方向に沿って連続した検査画像を形成し、上記検出手段による検出開始タイミングを決定するとともに、上記検出手段からの検出結果に応じて上記検査画像の形成終了位置を決定することを特徴とする請求項１ないし３のいずれか１項に記載の画像形成装置。
【請求項５】
上記露光手段および上記現像手段により、上記決定手段によって決定された検査画像形成領域に検査画像を形成するとともに、上記検出手段により上記検査画像を検出し、上記検査画像が所定の画質を有するように、上記検出手段の検出結果に応じて上記露光手段の露光量を自動調整する調整手段を備えたことを特徴とする請求項１ないし４のいずれか１項に記載の画像形成装置。
【請求項６】
所定方向に回転自在な感光体ドラムと、
上記感光体ドラム表面を帯電する帯電手段と、露光光源からの光により上記感光体ドラム表面を露光する露光手段と、を有し、感光体ドラム表面に静電潜像を形成する潜像形成手段と、
上記感光体ドラム表面を選択的に除電する除電手段と、
上記感光体ドラム表面上に形成された静電潜像を現像剤により現像して現像剤像を形成する現像手段と、
上記感光体ドラム表面上に所定の検出領域を有し、上記感光体ドラム表面上において上記検出領域に形成された現像剤像を検出する検出手段と、
上記帯電手段により帯電された上記感光体ドラム表面を、上記除電手段により選択的に除電して上記感光体ドラム表面上に画質変動検査用の画像形成領域を形成し、上記現像手段により上記検査画像形成領域に検査画像を形成するとともに上記検出手段により上記検査画像を検出し、検出手段の検出結果に応じて上記除電手段による除電範囲を変更して上記検査画像形成領域を変更し、上記検出手段の検出領域にほぼ一致する最小の検査画像形成領域を決定する決定手段と、
を備えたことを特徴とする画像形成装置。
【請求項７】
上記除電手段は、上記露光手段による上記感光体ドラム表面上の露光位置と、上記現像手段との間に設けられているとともに上記感光体ドラムの軸方向に沿って並んで設けられた多数の発光素子と、
上記発光素子を選択的に発光させて上記除電領域を変更する駆動部と、を備えていることを特徴とする請求項６に記載の画像形成装置。
【請求項８】
上記感光体ドラムの軸方向に沿って上記検出領域の両側に位置した第１および第２除電領域を有し、
上記決定手段は、上記感光体ドラムの軸方向に沿った第１除電領域の幅を段階的に増大し、上記検査結果が所定値からずれる直前の段階に上記第１除電領域の幅を決定した後、上記感光体ドラムの軸方向に沿った第２除電領域の幅を段階的に増大し、上記検査結果が所定値からずれる直前の段階に上記第２除電領域の幅を決定することを特徴とする請求項６又は７に記載の画像形成装置。
【手続補正書】
【提出日】平成16年10月18日(2004.10.18)
【手続補正１】
【補正対象書類名】明細書
【補正対象項目名】特許請求の範囲
【補正方法】変更
【補正の内容】
【特許請求の範囲】
【請求項１】
四塩化ケイ素を出発原料として人工的に生成された合成石英ガラスで製造された発光管を有し、１８５ｎｍの紫外線を放射する低圧水銀蒸気放電灯と、
前記放電灯から放射される１８５ｎｍの紫外線を、連続して流れる被処理液体に対して照射する処理装置と
を具えた紫外線照射装置。
【請求項２】
四塩化ケイ素を出発原料として人工的に生成された合成石英ガラスで製造された発光管を有し、１８５ｎｍの紫外線を放射する低圧水銀蒸気放電灯と、前記放電灯から放射される１８５ｎｍの紫外線を、連続して流れる被処理液体に対して照射する処理装置とを具えた紫外線照射装置の運用方法であって、
前記１８５ｎｍの紫外線を放射する低圧水銀蒸気放電灯を複数灯設置し、設置された複数灯のうち所定数を消灯し残りを点灯し、この消灯及び点灯する放電灯の組み合わせを時間的経過に従い変更することを特徴とする紫外線照射装置の運用方法。
【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】
遊技媒体の挙動に起因して抽選を行い、その抽選結果が特定の結果であることを第１の必要条件として遊技者に有利な特別遊技状態を導出可能に構成された遊技機であって、
前記第１の必要条件が満たされた場合であって、かつ、
前記抽選とは別に行われた抽選の結果が特別の結果であるという第２の必要条件が満たされた場合に限り、前記特別遊技状態の導出を許容するようにしたことを特徴とする遊技機。
【請求項２】
遊技媒体の挙動に起因して抽選を行い、その抽選結果が特定の結果であることを第１の必要条件として遊技者に有利な特別遊技状態を導出可能に構成された遊技機であって、かつ、
前記抽選とは別に行われた抽選の結果が特別の結果であるという第２の必要条件が満たされた場合に限り、前記特別遊技状態の導出を許容し、該導出に際してはそれまで前記第１の必要条件が満たされた事実が加味されるようにしたことを特徴とする遊技機。
【請求項３】
遊技媒体の挙動に起因して抽選を行い、その抽選結果が特定の結果であることを第１の必要条件として所定ラウンド数分の特賞状態からなる遊技者に有利な特別遊技状態の権利を付与可能に構成された遊技機であって、
前記第１の必要条件が満たされた場合であって、かつ、前記抽選とは別に行われた抽選の結果が特別の結果であるという第２の必要条件が満たされた場合に限り、前記特別遊技状態の導出を許容し、前記第２の必要条件が満たされない場合には、前記所定ラウンド数分の特賞状態の権利がためられるようにし、かつ、前記導出に際してはためられた権利が加味されるようにしたことを特徴とする遊技機。
【請求項４】
識別情報を変動表示可能な可変表示手段を備え、
遊技媒体の挙動に起因して抽選を行い、その抽選結果が特定の結果であることを第１の必要条件として所定ラウンド数分の特賞状態からなる遊技者に有利な特別遊技状態の権利を付与可能に構成され、少なくとも前記特別遊技状態が導出されるに際し前記可変表示手段において前記識別情報を特定の態様で確定停止表示するよう構成された遊技機であって、
前記第１の必要条件が満たされた場合であって、かつ、前記確定停止表示される識別情報の特定の態様の種別に関する抽選の結果たる種別が特別の種別であるという第２の必要条件を満たす場合に限り、前記特別遊技状態の導出を許容し、前記第２の必要条件が満たされない場合には、前記所定ラウンド数分の特賞状態の権利がためられるようにし、かつ、前記導出に際してはためられた権利が加味されるようにしたことを特徴とする遊技機。
【請求項５】
識別情報を変動表示可能な可変表示手段を備え、
遊技媒体の挙動に起因して抽選を行い、その抽選結果が特定の結果であることを第１の必要条件として所定ラウンド数分の特賞状態からなる遊技者に有利な特別遊技状態の権利を付与可能に構成され、少なくとも前記特別遊技状態が導出されるに際し前記可変表示手段において前記識別情報を特定の態様で確定停止表示するよう構成された遊技機であって、
前記第１の必要条件が満たされた場合であって、かつ、前記確定停止表示される識別情報の特定の態様の種別に関する抽選の結果たる種別が特別の種別であるという第２の必要条件を満たす場合に限り、前記特別遊技状態の導出を許容し、前記第２の必要条件が満たされない場合には、前記所定ラウンド数分の特賞状態の権利がためられるようにし、かつ、前記導出に際しては、前記特別の種別が第１の特別種別である場合には、それまでためられていたラウンド数分の特賞状態の権利に基づく利益が全て付与されるよう構成したことを特徴とする遊技機。
【手続補正書】
【提出日】平成16年4月26日(2004.4.26)
【手続補正１】
【補正対象書類名】明細書
【補正対象項目名】特許請求の範囲
【補正方法】変更
【補正の内容】
【特許請求の範囲】
【請求項１】
遊技板に設けられ、かつ、それぞれが変動表示され、所定のタイミングで停止表示され得る複数の変動図柄からなる識別情報画像を表示する識別情報画像領域と、演出画像を表示する演出画像領域とからなる画面画像が表示される表示部、及び、
遊技状況に応じた音を出力するスピーカを備え、
前記スピーカにより、立体音の効果が生じる音を出力することが可能であり、かつ、前記演出画像領域に、リーチの信頼性及び／又は大当たりの信頼性を予告する予告キャラクタ画像が表示される遊技機であって、
前記予告キャラクタ画像が表示される前に、前記立体音の効果が生じる音により、予め前記予告キャラクタ画像が表示されることを告知することを特徴とする遊技機。
【請求項２】
遊技板に設けられ、当該遊技板上に展開される遊技状況に応じて適宜、動画像、静画像又はこれらを組み合わせた画像からなる画面画像が表示される表示部、
遊技状況に応じた音を出力するスピーカ、並びに、
少なくとも前記表示部への電子データの伝送、及び、前記スピーカへの音信号の送信を行う制御部を備え、
前記スピーカにより、立体音の効果が生じる音を出力することが可能であり、かつ、
前記画面画像は、それぞれが変動表示され、所定のタイミングで停止表示され得る識別情報画像を表示する識別情報画像領域と、演出画像を表示する演出画像領域とを含み、さらに、前記演出画像領域には、リーチの信頼性及び／又は大当たりの信頼性を予告する予告キャラクタ画像が表示される遊技機であって、
前記予告キャラクタ画像が表示される前に、前記立体音の効果が生じる音により、予め前記予告キャラクタ画像が表示されることを告知することを特徴とする遊技機。
【請求項３】
遊技板に設けられ、当該遊技板上に展開される遊技状況に応じて適宜、動画像、静画像又はこれらを組み合わせた画像からなる画面画像が表示される表示部、遊技状況に応じた音を出力するスピーカ、並びに、
少なくとも前記表示部への電子データの伝送、及び、前記スピーカへの音信号の送信を行う制御部を備え、
前記スピーカにより、立体音の効果が生じる音を出力することが可能であり、かつ、
前記画面画像は、所定のタイミングで停止表示され得る識別情報画像を表示する識別情報画像領域と、演出画像を表示する演出画像領域とを含み、さらに、前記演出画像領域には、リーチの信頼性及び／又は大当たりの信頼性を予告する予告キャラクタ画像が表示される遊技機であって、
前記制御部は、前記スピーカ及び前記表示部への電子データの伝送、並びに、前記スピーカへの音信号の送信を行うことにより、前記予告キャラクタ画像が表示される前に、前記スピーカに前記立体音を出力させ、前記表示部に予め前記予告キャラクタ画像が表示されることを告知することを特徴とする遊技機。
【請求項４】
前記立体音の効果が生じる音は、仮想音源を発生させる音であり、
前記予告キャラクタ画像が表示される前に、前記仮想音源を発生させることにより、又は、発生させた前記仮想音源を移動させることにより、予め前記予告キャラクタ画像が表示されることを告知する請求項１〜３のいずれか１に記載の遊技機。
【請求項５】
前記仮想音源を発生させる音は、前記予告キャラクタ画像として示す予告キャラクタの音声である請求項４に記載の遊技機。
【請求項６】
前記識別情報画像領域に前記変動図柄が表示されていないときには、前記表示部に前記予告キャラクタ画像が表示されるとともに、前記スピーカにより、該予告キャラクタ画像として示す予告キャラクタの音声を出力する請求項５に記載の遊技機。
【請求項７】
前記スピーカは、パラメトリックスピーカである請求項１〜６のいずれか１に記載の遊技機。
【請求項８】
遊技板に設けられ、当該遊技板上に展開される遊技状況に応じて適宜、動画像、静画像又はこれらを組み合わせた画像からなる画面画像が表示される表示部、
遊技状況に応じた音を出力するスピーカ、並びに、
少なくとも前記表示部への電子データの伝送、及び、前記スピーカへの音信号の送信を行う制御部を備えた遊技機の演出表現方法であり、かつ、
前記スピーカにより、立体音の効果が生じる音を出力することが可能であり、かつ、
前記画面画像は、それぞれが変動表示され、所定のタイミングで停止表示され得る識別情報画像を表示する識別情報画像領域と、演出画像を表示する演出画像領域とを含み、さらに、前記演出画像領域には、リーチの信頼性及び／又は大当たりの信頼性を予告する予告キャラクタ画像が表示される遊技機の演出表現方法であって、
前記予告キャラクタ画像を表示させる前に、前記立体音の効果が生じる音により、予め前記予告キャラクタ画像を表示させることを告知することを特徴とする遊技機の演出表現方法。
【請求項９】
各端末機に遊技機を示す遊技機画像を表示させるとともに、遊技状況に応じた音を出力させるサーバであり、かつ、
前記各端末機に対して立体音の効果が生じる音を出力させる制御を行うことが可能なサーバであって、
前記端末機において行われる遊技の状況に応じて、それぞれが変動表示され、所定のタイミングで停止表示され得る複数の変動図柄からなる識別情報画像を表示する識別情報画像領域と、演出画像を表示する演出画像領域とを含む画面画像を表示させ、さらに、前記演出画像領域には、リーチの信頼性及び／又は大当たりの信頼性を予告する予告キャラクタ画像を表示させる制御を端末機に対して行うとともに、
前記予告キャラクタ画像を表示させる前に、前記立体音の効果が生じる音により、予め前記予告キャラクタ画像を表示させることを告知させる制御を端末機に対して行うことを特徴とするサーバ。
【手続補正書】
【提出日】平成16年9月2日(2004.9.2)
【手続補正１】
【補正対象書類名】明細書
【補正対象項目名】特許請求の範囲
【補正方法】変更
【補正の内容】
【特許請求の範囲】
【請求項１】
複数種類の識別情報を可変表示可能な可変表示装置を含み、該可変表示装置の表示結果が予め定められた特定表示態様となった場合に遊技者にとって有利な特定遊技状態になるようにした遊技機において、
普通図柄始動条件の成立に基づいて複数の識別情報を変動表示可能な普通図柄表示装置と、該普通図柄表示装置に複数の識別情報を変動表示させて停止させる普通図柄表示制御手段とを備え、
前記普通図柄表示制御手段は、前記特定遊技状態になることが決定されると、前記普通図柄表示装置に前記複数の識別情報を有効ライン上で停止表示させ、かつ、該有効ライン上で停止表示した複数の識別情報を予め定められた特殊な表示態様にさせることを特徴とする遊技機。
【請求項２】
前記可変表示装置の表示結果を予め決定する遊技制御手段と、前記普通図柄表示装置の表示結果を予め決定する普通図柄決定手段とを有し、
前記遊技制御手段は、遊技価値判定用乱数値を生成し、普通図柄始動条件の成立に基づいてその遊技価値判定用乱数値を抽出記憶して、この抽出された遊技価値判定用乱数値と予め設定された判定値とを判定時に比較して遊技価値を付加するか否かを判定し、この判定結果に基づいて、前記普通図柄表示装置に前記複数の識別情報を有効ライン上で停止表示させるべく決定し、
前記遊技制御手段が前記可変表示装置の表示結果が前記特定表示態様になるよう予め決定すると、前記普通図柄決定手段は前記有効ライン上で停止表示した複数の識別情報を予め定められた特殊な表示態様にさせるべく決定する
ことを特徴とする請求項１に記載の遊技機。
【請求項３】
前記遊技制御手段は前記普通図柄決定手段を含んでいる
ことを特徴とする請求項２に記載の遊技機。
【請求項４】
前記遊技制御手段により決定された表示結果が、前記普通図柄表示装置に前記複数の識別情報を有効ライン上で停止表示させ、かつ、該有効ライン上で停止表示した複数の識別情報を予め定められた特殊な表示態様にさせる可能性を有するリーチ状態を発生させるものである場合に、前記リーチ状態が発生する前にリーチ状態を報知するか否かを選択決定する選択決定手段を含み、
前記普通図柄表示制御手段は、前記選択決定手段が前記リーチ状態を報知する旨の選択決定した場合に、前記リーチ状態に係る有効ラインの報知を行う
ことを特徴とする請求項１、２に記載の遊技機。
【手続補正２】
【補正対象書類名】明細書
【補正対象項目名】０００９
【補正方法】変更
【補正の内容】
【０００９】
［２］前記可変表示装置（３１０）の表示結果を予め決定する遊技制御手段（１００）と、前記普通図柄表示装置（１４０）の表示結果を予め決定する普通図柄決定手段とを有し、
前記遊技制御手段（１００）は、遊技価値判定用乱数値を生成し、普通図柄始動条件の成立に基づいてその遊技価値判定用乱数値を抽出記憶して、この抽出された遊技価値判定用乱数値と予め設定された判定値とを判定時に比較して遊技価値を付加するか否かを判定し、この判定結果に基づいて、前記普通図柄表示装置（１４０）に前記複数の識別情報を有効ライン上で停止表示させるべく決定し、
前記遊技制御手段（１００）が前記可変表示装置（３１０）の表示結果が前記特定表示態様になるよう予め決定すると、前記普通図柄決定手段は前記有効ライン上で停止表示した複数の識別情報を予め定められた特殊な表示態様にさせるべく決定する
ことを特徴とする［１］に記載の遊技機。
【手続補正３】
【補正対象書類名】明細書
【補正対象項目名】００１０
【補正方法】変更
【補正の内容】
【００１０】
［３］前記遊技制御手段（１００）は前記普通図柄決定手段を含んでいる
ことを特徴とする［２］に記載の遊技機。
【手続補正４】
【補正対象書類名】明細書
【補正対象項目名】００１１
【補正方法】変更
【補正の内容】
【００１１】
［４］前記遊技制御手段（１００）により決定された表示結果が、前記普通図柄表示装置（１４０）に前記複数の識別情報を有効ライン上で停止表示させ、かつ、該有効ライン上で停止表示した複数の識別情報を予め定められた特殊な表示態様にさせる可能性を有するリーチ状態を発生させるものである場合に、前記リーチ状態が発生する前にリーチ状態を報知するか否かを選択決定する選択決定手段を含み、
前記普通図柄表示制御手段は、前記選択決定手段が前記リーチ状態を報知する旨の選択決定した場合に、前記リーチ状態に係る有効ラインの報知を行う
ことを特徴とする［１］、［２］に記載の遊技機。
【手続補正５】
【補正対象書類名】明細書
【補正対象項目名】００１２
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正書】
【提出日】平成16年9月2日(2004.9.2)
【手続補正１】
【補正対象書類名】明細書
【補正対象項目名】特許請求の範囲
【補正方法】変更
【補正の内容】
【特許請求の範囲】
【請求項１】
複数種類の識別情報を可変表示可能な可変表示装置を含み、該可変表示装置の表示結果が予め定められた特定表示態様となった場合に遊技者にとって有利な特定遊技状態になるようにした遊技機において、
普通図柄始動条件の成立に基づいて識別情報を変動表示可能な普通図柄表示装置と、該普通図柄表示装置に識別情報を変動表示させて停止させる普通図柄表示制御手段とを備え、
前記普通図柄表示制御手段は、前記特定遊技状態になることが決定されると、前記普通図柄表示装置に特殊な識別情報を停止表示させる
ことを特徴とする遊技機。
【請求項２】
前記可変表示装置の表示結果を予め決定する遊技制御手段と、前記普通図柄表示装置の表示結果を予め決定する普通図柄決定手段とを有し、
前記遊技制御手段が前記可変表示装置の表示結果が前記特定表示態様になるよう予め決定すると、前記普通図柄決定手段は前記普通図柄表示装置に特殊な識別情報を停止表示させるべく決定する
ことを特徴とする請求項１に記載の遊技機。
【請求項３】
前記遊技制御手段は前記普通図柄決定手段を含んでいる
ことを特徴とする請求項２に記載の遊技機。
【請求項４】
前記普通図柄表示制御手段は前記普通図柄決定手段を含んでいる
ことを特徴とする請求項２に記載の遊技機。
【請求項５】
前記遊技制御手段は、前記普通図柄表示装置に特殊な識別情報を停止表示させる場合に、前記特定表示態様になる可能性を有するリーチ状態を前記可変表示装置に表示させるリーチ状態表示制御手段を含んでいる
ことを特徴とする請求項１、２、３に記載の遊技機。
【手続補正２】
【補正対象書類名】明細書
【補正対象項目名】０００９
【補正方法】変更
【補正の内容】
【０００９】
［２］前記可変表示装置（３１０）の表示結果を予め決定する遊技制御手段（１００）と、前記普通図柄表示装置（１４０）の表示結果を予め決定する普通図柄決定手段とを有し、
前記遊技制御手段（１００）が前記可変表示装置（３１０）の表示結果が前記特定表示態様になるよう予め決定すると、前記普通図柄決定手段は前記普通図柄表示装置（１４０）に特殊な識別情報を停止表示させるべく決定する
ことを特徴とする［１］に記載の遊技機。
【手続補正３】
【補正対象書類名】明細書
【補正対象項目名】００１０
【補正方法】変更
【補正の内容】
【００１０】
［３］前記遊技制御手段（１００）は前記普通図柄決定手段を含んでいる
ことを特徴とする［２］に記載の遊技機。
【手続補正４】
【補正対象書類名】明細書
【補正対象項目名】００１１
【補正方法】変更
【補正の内容】
【００１１】
［４］前記普通図柄表示制御手段は前記普通図柄決定手段を含んでいる
ことを特徴とする［２］に記載の遊技機。
【手続補正５】
【補正対象書類名】明細書
【補正対象項目名】００１２
【補正方法】変更
【補正の内容】
【００１２】
［５］前記遊技制御手段（１００）は、前記普通図柄表示装置（１４０）に特殊な識別情報を停止表示させる場合に、前記特定表示態様になる可能性を有するリーチ状態を前記可変表示装置（３１０）に表示させるリーチ状態表示制御手段を含んでいる
ことを特徴とする［１］、［２］、［３］に記載の遊技機。
【手続補正６】
【補正対象書類名】明細書
【補正対象項目名】００１３
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正書】
【提出日】平成17年5月16日(2005.5.16)
【手続補正１】
【補正対象書類名】明細書
【補正対象項目名】特許請求の範囲
【補正方法】変更
【補正の内容】
【特許請求の範囲】
【請求項１】
レンズを受容するためのレンズ受容部（１３）を備えたグリップ体（１）と、眼の中にレンズをガイドして挿入するためにグリップ体（１）内で手動で移動可能なピストン（２）を有する眼の中にレンズを挿入するための装置において、
グリップ体（１）内に、ボールベアリングブシュ（３）が配置されていて、ピストン（２）が、このボールベアリングブシュ（３）内で縦軸に沿って横方向に移動可能に支持されていて、ボールベアリングブシュ（３）が、グリップ体（１）の後方のレンズ受容部（１３）とは反対側の端部に配置されていることを特徴とする装置。
【請求項２】
ボールベアリングブシュ（３）が、グリップ体（１）内にて位置固定されて配置されていることを特徴とする請求項１記載の装置。
【請求項３】
レンズを受容するためのレンズ受容部（１３）を備えたグリップ体（１）と、眼の中にレンズをガイドして挿入するためにグリップ体（１）内で手動で移動可能なピストン（２）を有する眼の中にレンズを挿入するための装置において、
グリップ体（１）内に、ボールベアリングブシュ（３）が配置されていて、ピストン（２）が、このボールベアリングブシュ（３）内で縦軸に沿って横方向に移動可能に支持されていて、ピストン（２）が、ガイド溝（２５）を有していて、その中にグリップ体（１）内に配置されたガイド要素（６）が係合することを特徴とする装置。
【請求項４】
ガイド要素（６）が、ボールベアリングブシュ（３）内に配置されていることを特徴とする請求項３記載の装置。
【請求項５】
ボールベアリングブシュ（３）が、グリップ体（１）内にて位置固定されて配置されていることを特徴とする請求項１記載の装置。
【請求項６】
ガイド溝（２５）が、直線状に延びていることを特徴とする請求項３記載の装置。
【請求項７】
ガイド溝（２５）が、ピストン（２）がガイドされて回転可能であるように、ピストン（２）の少なくとも後方領域にて、螺旋（２５’）を有していることを特徴とする請求項３記載の装置。
【請求項８】
螺旋（２５’）が、ピストン（２）の後方領域に配置されていることを特徴とする請求項７記載の装置。
【請求項９】
グリップ体（１）が、スリーブ（１０）と、スラスト軸受（８，９）を介してスリーブ（１０）と連結されたグリップ前部（１１）を有しており、グリップ前部（１１）内に、グリップ前部（１１）がピストン（２）と共にガイドされ回転可能であるように、ガイド溝（２５）内に係合する駆動部材（７）が配置されていることを特徴とする請求項７記載の装置。
【請求項１０】
ボールベアリングブシュ（３）が、グリップ体（１）内に回転可能に配置されていて、ピストン（２）と共にガイドされ回転可能であることを特徴とする請求項７記載の装置。
【手続補正２】
【補正対象書類名】明細書
【補正対象項目名】０００７
【補正方法】変更
【補正の内容】
【０００７】
本発明によれば、ピストンは、ボールベアリングブシュ内で縦軸に沿って横方向に移動可能に支持されている。これにより、手動式インジェクタが片手で操作可能である。ピストンを手動で移動させるために、注射器の場合と同様に、ピストンのみが押圧されなければならない。ボールベアリングブシュ内での支持により、ピストンは、より良好なすべり特性を有し、それはさらにピストンの一様な前進と、そしてレンズの一様な挿入を可能にする。グリップ体の後方のレンズ受容部とは反対側の端部へのボールベアリングブシュの配置は、ガイドの領域におけるてこ作用を回避し、そして最適な重量配分を保証する。
【手続補正３】
【補正対象書類名】明細書
【補正対象項目名】００１９
【補正方法】変更
【補正の内容】
【００１９】
ピストン２は、スリーブ１０を貫通し、その後端が密閉キャップ４の貫通開口から突出している。ピストン２は、基本的に後方のピストンヘッド２３，ピストン中間部２０，ピストンニードル２１およびピストン先端２２から構成されている。ピストンニードル２１は、好ましくはレンズの種類に応じて新たなニードルが使用され得るように、ピストン中間部２０と解放可能に連結されている。さらに、それは、使い捨てニードルとしても使用され得る。ニードル２１の先端に、ピストン先端２２が取り付けられ、または一体に形成される。その形状も、レンズの種類に依存して変化する。ピストンヘッド２３は、ピストン２の後端を形成している。それは、指環２４と連結されている。
ピストンヘッド２３は、ピストン２を片手で且つスリーブ１０内で縦軸に沿って横方向に前方に向かって押すために、外科医により親指を押し当てるための表面として使用される。指環２４は、インジェクタを保持する指の位置が変更される必要なしに、親指によるピストン２の引き戻しを可能にする。ピストン２が前方に向かって押されると、レンズ受容部１３内に在る人工レンズが折り畳まれ、前方に向かってインジェクタから押し出され、正確に計測可能な圧力でそして案内された方向にて、眼内に挿入される。図１にて、レンズの挿入後のインジェクタが、押し出されたピストン２と共に、示されている。
【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
被検体が置かれる空間に均一な静磁場を発生させる静磁場発生手段と、前記被検体の撮影断面を決定する傾斜磁場を発生させる手段と、前記空間に高周波磁場を印加させる手段と、前記被検体から生じた核磁気共鳴信号を検出する手段と、前記被検体の計測対象部位を含む撮影断面について磁気共鳴撮影を時間間隔をおいて連続的に実行させる制御手段と、前記検出手段により異なる時刻に検出された前記撮影断面にかかる複数組の核磁気共鳴信号を用いて前記計測対象部位に係る診断情報を演算する演算手段と、前記診断情報を表示させる表示手段とを備えた磁気共鳴イメージング装置であって、
前記被検体の体動を検出する体動検出手段を備え、
前記制御手段は、前記体動検出手段からの情報に基いて前記撮影断面の位置を設定し、
前記演算手段は、基準とする第１の核磁気共鳴信号と、体動後の第２の核磁気共鳴信号を検出し、該検出された信号から前記計測対象部位の温度分布の差を演算して温度変化分布を求めることを特徴とする磁気共鳴イメージング装置。
【請求項２】
前記体動検出手段は、前記計測対象部位に近い体表面に接触させて離散させて配置された光を反射する３つの反射器を有してなる指示器と、該指示器から離れた位置に設けられた発光器と、２つのカメラとを有し、前記３つの反射器で反射される前記発光器の光を前記２つのカメラで受像した２つの像に基づいて、前記指示器の３次元位置と直交座標軸周りの回転角を検出する位置検出手段を含み、
前記制御手段は、前記位置検出手段により検出された前記指示器の３次元位置と直交座標軸周りの回転角に基づいて前記計測対象部位の３次元位置と直交座標軸周りの回転角を求めて、前記撮影断面の３次元位置と直交座標軸周りの回転角を設定することを特徴とする請求項１記載の磁気共鳴イメージング装置。
【請求項３】
前記計測対象部位は、前記被検体内に刺し込まれる穿刺デバイスの先端を含む部位であることを特徴とする請求項１に記載の磁気共鳴イメージング装置。
【請求項４】
前記体動検出手段は、前記穿刺デバイスの体外部に位置される部位に離散させて配置された光を反射する３つの反射器を有してなる指示器と、該指示器から離れた位置に設けられた発光器と、２つのカメラとを有し、前記３つの反射器で反射される前記発光器の光を前記２つのカメラで受像した２つの像に基づいて、前記指示器の３次元位置を検出する位置検出手段を含み、
前記制御手段は、前記位置検出手段により検出された前記指示器の３次元位置に基づいて前記穿刺デバイスの３次元位置を求め、前記穿刺デバイスの先端の３次元位置が同一となるように前記撮影断面の３次元位置を設定することを特徴とする請求項３記載の磁気共鳴イメージング装置。
【請求項５】
前記演算手段は、前記計測対象部位の前記温度変化分布を画像化して表示画面に表示させる機能を備えて成ることを特徴とする請求項１ないし４のいずれか１項に記載の磁気共鳴イメージング装置。
【手続補正２】
【補正対象書類名】明細書
【補正対象項目名】００１１
【補正方法】変更
【補正の内容】
【００１１】
【課題を解決するための手段】
上記目的を達成する本発明のＭＲＩ装置は、被検体が置かれる空間に均一な静磁場を発生させる静磁場発生手段と、前記被検体の撮影断面を決定する傾斜磁場を発生させる手段と、前記空間に高周波磁場を印加させる手段と、前記被検体から生じた核磁気共鳴信号を検出する手段と、前記被検体の計測対象部位を含む撮影断面について磁気共鳴撮影を時間間隔をおいて連続的に実行させる制御手段と、前記検出手段により異なる時刻に検出された前記撮影断面にかかる複数組の核磁気共鳴信号を用いて前記計測対象部位に係る診断情報を演算する演算手段と、前記診断情報を表示させる表示手段とを備えた磁気共鳴イメージング装置であって、前記被検体の体動を検出する体動検出手段を備え、前記制御手段は、前記体動検出手段からの情報に基いて前記撮影断面の位置を設定し、前記演算手段は、基準とする第１の核磁気共鳴信号と、体動後の第２の核磁気共鳴信号を検出し、該検出された信号から前記計測対象部位の温度分布の差を演算して温度変化分布を求めることを特徴とするものである。
【手続補正３】
【補正対象書類名】明細書
【補正対象項目名】００１３
【補正方法】変更
【補正の内容】
【００１３】
本発明のＭＲＩ装置において、前記体動検出手段は、好適には、前記計測対象部位に近い体表面に接触させて離散させて配置された光を反射する３つの反射器を有してなる指示器と、該指示器から離れた位置に設けられた発光器と、２つのカメラとを有し、前記３つの反射器で反射される前記発光器の光を前記２つのカメラで受像した２つの像に基づいて、前記指示器の３次元位置と直交座標軸周りの回転角を検出する位置検出手段を含み、前記制御手段は、前記位置検出手段により検出された前記指示器の３次元位置と直交座標軸周りの回転角に基づいて前記計測対象部位の３次元位置と直交座標軸周りの回転角を求めて、前記撮影断面の３次元位置と直交座標軸周りの回転角を設定する。
前記計測対象部位は、前記被検体内に刺し込まれる穿刺デバイスの先端を含む部位であってもよく、その場合、好適には、体動検出手段は、前記穿刺デバイスの体外部に位置される部位に離散させて配置された光を反射する３つの反射器を有してなる指示器と、該指示器から離れた位置に設けられた発光器と、２つのカメラとを有し、前記３つの反射器で反射される前記発光器の光を前記２つのカメラで受像した２つの像に基づいて、前記指示器の３次元位置を検出する位置検出手段を含み、前記制御手段は、前記位置検出手段により検出された前記指示器の３次元位置に基づいて前記穿刺デバイスの３次元位置を求め、前記穿刺デバイスの先端の３次元位置が同一となるように前記撮影断面の３次元位置を設定する。
【手続補正書】
【提出日】平成16年4月2日(2004.4.2)
【手続補正１】
【補正対象書類名】明細書
【補正対象項目名】００１８
【補正方法】変更
【補正の内容】
【００１８】
股下部Ｃに、広いパターン幅の接着剤（接合手段）８１を用いることで、吸収体４の位置固定性を向上させることができ、他方、背側部Ａ及び／又は腹側部Ｂに、パターン幅の狭い接着剤（接合手段）、特に略直線状（波線、破線を含む）の接着剤８２を用いることで、裏面シートの幅方向の力を効果的に逃がすことができ、吸収体にシワやヨレが生じることを一層低減することができる。特に本実施形態のように、股下部Ｃにおいては、直線状の接着剤８２と螺旋状の接着剤８１を併用し、背側部Ａ及び／又は腹側部Ｂにおいては、単数又は隣接する接着剤との間に広い間隔を取った複数本の略直線状の接着剤８２を用いる形態では上記効果が顕著である。


【手続補正２】
【補正対象書類名】明細書
【補正対象項目名】００２０
【補正方法】変更
【補正の内容】
【００２０】
本実施形態においては、図１に示すように、帯状領域４３に位置する吸収体４に、該帯状領域４３の幅方向に延びるようにエンボス線６が付与されている。エンボス線６は、細幅で長い長円形の形状を有しており、吸収体４の表面シート２側の面（肌側に向けられる面）をエンボス加工により押圧されて形成されている。
幅方向に延びるエンボス線６を設けることにより、幅方向に抗力が働き吸収体のヨレが抑制される。斯かる効果は、上述した螺旋状の接着剤８１との組み合わせで特に顕著に発現される。
吸収体のヨレ防止及び強度向上の観点から、エンボス線６の長さ方向に延びる中心線ＣＬと使い捨ておむつの幅方向に延びる直線ＷＬとのなす角度θ（図１参照）は０〜４５度、特に０〜３０度であることが好ましい。
幅方向に延びるエンボス線のパターンとしては、本実施形態のように直線（点線を含む）状のものの他、曲線状及びそれらの組み合わせであっても良く、吸収体のヨレ防止及び強度向上の観点から、直線状が好ましい。


【手続補正３】
【補正対象書類名】明細書
【補正対象項目名】符号の説明
【補正方法】変更
【補正の内容】
【符号の説明】
１    使い捨ておむつ
２    表面シート
３    裏面シート
４    吸収体
５    ファスニングテープ
４３  帯状領域
７１  弾性部材
８１  第１の接着剤（接合手段）
８２  第２の接着剤（接合手段）